(57)【要約】【課題】  肩こりや冷え性等の慢性的な症状を改善するための針やお灸は、施療するに当たって専門的知識が必要で、手軽に、簡単にできない。そのため、誰でも、それほどの専門知識が無くても自覚する症状の部位に接触させるだけで、痛みの症状等が緩和し、長時間その効果が持続できるものが求められてきた。【解決手段】  上記目的を達成するために、プラスチックフィルムもしくはシートの片面に高さ０．１ｍｍから１．０ｍｍ、太さ１５ミクロンから１５０ミクロンでプラスチックフィルムもしくはシートと同一の材料からできた構造物を複数配列したフィルムもしくはシート（以下マッサージシート本体と呼ぶ）を表面がメッシュ状で、袋状に加工されたフィルムもしくはシート（以下マッサージシート付属用シート）の中に納めたことを特徴とする。  又、上記マッサージシートにおいて、マッサージシート付属用シートの材料を導電性にしたことを特徴とする。【選択図】図１
0003161518.tif 000002
【実用新案登録請求の範囲】
【請求項１】
プラスチックフィルムもしくはシートの片面に高さ０．１ｍｍから１．０ｍｍ、太さ１５ミクロンから１５０ミクロンでプラスチックフィルムもしくはシートと同一の材料からできた構造物を複数配列したフィルムもしくはシート（以下マッサージシート本体と呼ぶ）を表面がメッシュ状で、袋状に加工されたフィルムもしくはシートまたは織物状態の袋（以下マッサージシート付属用シート）の中に納めたことを特徴とするマッサージシート。
【請求項２】
請求項１のマッサージシート付属用シートにおいて、材料を導電性にしたことを特徴とするマッサージシート。
【請求項３】
請求項１のマッサージシート本体のシート部分に、通気性の穴加工したことを特徴とするマッサージシート。
【考案の詳細な説明】
【技術分野】
【０００１】  本発明は、慢性的な肩こり、冷え性等の症状を改善するマッサージ用部材に関する。
【背景技術】
【０００２】  従来、肩こり、冷え性を改善する手段として塗り薬、湿布薬、東洋医学で用いる針、お灸、あるいはマッサージ機等がある。しかし、塗り薬、湿布薬は急性的で一時的な痛み等の疾患を治療する効果は認められが、慢性的症状を治癒する効果は少ない。また人により、肌がかぶれたり、湿布薬を剥がすときに抵抗があったりする。一方、東洋医学の針やお灸は慢性的な症状の治療に用いられるが、常時施療することが出来ず、施療も専門的知識が必要で、面倒で大変であり、マッサージ機も一時的な痛み取りであり、高価で持ち運びが困難であると言う問題があった。【０００３】  そこで、慢性的な肩こりや冷え性等の症状を簡単で気軽に治癒可能で、いつまでも効果が持続出来るマッサージ部材が求められている。【０００４】  非特許文献  １：特許公開２００８−２５９５５２
非特許文献  ２：特許公開２００８−２７２３１９
【考案の開示】
【考案が解決しようとする課題】
【０００５】  また、肩こりや冷え性等の慢性的な症状を改善するための針やお灸は、施療するに当たって専門的知識が必要で、手軽に、簡単にできない。そのため、誰でも、それほどの専門知識が無くても自覚する症状の部位に接触させるだけで、痛みの症状等が緩和し、長時間その効果が持続できるものが求められてきた。【０００６】  ところで、針、お灸での治療は、身体のツボという部位を刺激することで、血行を良くし、老廃物を除去し、その結果、症状を改善することが知られている。従って、一見、針やお灸は身体を傷つけるように見えるが、あくまで身体のツボを刺激することである。従って、常時、肩こりや冷え性等を改善するため、身体のツボを刺激すれば良いが、刺激する範囲は針の様に極めて狭い部分を刺激する必要があり、専門的知識が必要で、部材が堅いもので皮膚に刺しても、身体のツボ以外は効果がほとんど無い。さらに刺激する針の先端形状は、症状により適切な形状がある。従って、専門的知識が有している者が局所的に針もしくは針に類似しているもので身体のツボを刺激すれば効果がある。あるいは専門的知識を有しない者が、身体のツボの周囲を広範囲に刺激でき、刺激する皮膚の部分が適切であれば、専門的知識を有した者が施した効果と同様な効果を得ることが可能である。【０００７】  すくなくとも、皮膚を刺激する部分的な大きさは１５ミクロンから１５０ミクロンと極めて狭い領域であり、それ以上の大きさでは効果は無い。さらに皮膚を刺激するには、刺激する物体が静止することなく運動していることが重要で、その運動エネルギーが皮膚に伝達し、皮膚表面近くにある神経や毛細血管に伝達し、血行が良くなり、その結果症状が緩和される。しかし、繊毛のような極めて細い部材の材質が柔らかい場合は、短時間で反発力が無くなり形状が維持できず、部材の運動エネルギーが伝達されなくなる。また、堅い部材では反発力は維持し、形状は維持できるが皮膚を傷つけ、効果が半減される。さらに、身体を傷つけると雑菌が侵入する恐れもある。
【課題を解決するための手段】
【０００８】  上記目的を達成するために、プラスチックフィルムもしくはシートの片面に高さ０．１ｍｍから１．０ｍｍ、太さ１５ミクロンから１５０ミクロンでプラスチックフィルムもしくはシートと同一の材料からできた構造物を複数配列したフィルムもしくはシート（以下マッサージシート本体と呼ぶ）を表面がメッシュ状で、袋状に加工されたフィルムもしくはシートまたは織物状態の袋（以下マッサージシート付属用シート）の中に納めたことを特徴とする。【０００９】  東洋医学でも用いられる針の効果が発揮されるのは、針の先端部分であり、その針の先端部分と形状が一致もしくは類似し、針を刺す時の動きが同じであれば、針を刺した場合と同様な効果が得られる。また、身体のツボを含めた広範囲の部分を複数本の針を用いても同様な効果が認められる。それゆえ、比較的小さいシート上に複数の針に類似した突起物を形成し、局部に接触させることで治癒効果が発揮される部材が開発されている。しかし、部材のおおきさが大きくなると針に類似した突起物の部材が堅く皮膚に刺さる場合は傷がついて効果が認められないし、その部材が皮膚を刺激する程度であれば、初期には適度な反発力を有しているが、力を加えることにより、短時間で反発力が無くなり、効果が認められない。【００１０】  本発明によれば、マッサージシート本体に形成されている高さ０．１ｍｍから１．０ｍｍ、太さ１５ミクロンから１５０ミクロンでプラスチックフィルムもしくはシートと同一の材料からできた構造物の先端部分はマッサージシート付属用シートのメッシュ部分の隙間から外部に出ているため、皮膚に接触して、該構造物の先端部分に力が加わっても、容易に弾力性が失われることは無い。しかもマッサージシート本体上の構造物の高さが十分でない場合、皮膚に接触したときは構造物の動きは小さくて、マッサージ効果は期待できないが、構造物の高さは十分確保でき、マッサージに必要な動きも保証されるため、肩こりや冷え性等を治癒する効果が発揮される。【００１１】  皮膚に接触したときのマッサージ効果を十分発揮させるため、マッサージシート本体の材質はシリコンゴムのように弾力性に富む樹脂が望ましく、マッサージシート付属用シートの材質はポリエステルのように比較的堅い樹脂が望ましい。【００１２】  構造物の先端部の形状は、先が細くなった円柱状や、円錐状のもの、あるいは四角錐状のもの、さらには先端部が広がった円柱状、円錐状、四角錐状のものがあり、患部や症状によって効果がより発揮される。【００１３】  又、請求項１のマッサージシート付属用シートにおいて、材料を導電性にしたことを特徴とする。【００１４】  又、肩こりや、冷え性等の原因の一つとして、身体に溜まった老廃物がある。従って、この老廃物を速やかに除去することも、症状を緩和することも重要である。が、老廃物の一部はイオン化して、一カ所に集まる性質を有し、体外に除去することは簡単でない。しかし、患部に導電性のシートを接触させることによって、イオン化した老廃物の電荷を拡散させ、結果、老廃物の拡散を早めることができ、マッサージ効果を高めることができる。【００１５】  又、請求項１のマッサージシート本体に通気性を良くする為、穴加工したことを��徴とする。【００１６】  一般に、マッサージシートを長時間皮膚に触れると、皮膚表面から排出される汗は、皮膚とマッサージシートの間に溜まり、皮膚を爛れさせる等の損傷を与える。しかし、マッサージシート本体のシート部分に通気性の穴加工を施すことで、皮膚表面からの汗は空気中に拡散し、皮膚を損傷することなく、マッサージ効果を得ることができる。
【考案の効果】
【００１７】  以上、本発明によれば、肩こりや、冷え性等の慢性的な治癒をするマッサージ効果を発揮することができる。さらに、痛みを伴う患部に本発明のマッサージシートを接触させると、痛みが和らぐことが報告され、マッサージの専門的知識を有する者の指導によって、身体のツボに本発明のマッサージシートを用いると、常時で持続的に、患部の毛細血管の血流の流れが活発になると同時に、神経が刺激され、慢性疾患に効果が発揮したことが報告されている。また、本発明のマッサージシートを靴下や下着の患部にあたる箇所に用いることによって、手軽に治癒効果が発揮できる。さらに、本発明のマッサージシートを用いることにより、リハビリをする際の痛みを和らげる効果によって、リハビリがやり易くなり、リハビリ効果を高めることができる。
【考案を実施するための最良の形態】
【００１８】  以下に図面を参照して、本発明に係るマッサージシートの一実施の形態について説明する。【００１９】  図１は本発明に係わるマッサージシートの斜形図であり、図２はマッサージシート上に形成された構造物１１の中心を通って、マッサージシートに垂直に切断した断面図であり、図３はマッサージシートを使用したとき、皮膚とマッサージシートの状態を示した断面図である。【００２０】  マッサージシート本体１は、マッサージシート本体１のシート部分１１とマッサージ本体１のシート部分１１の上面に、高さ０．５ｍｍ、太さ５０ミクロンの先端が細くなったマッサージシート本体１と同一の材質シリコンを用いた構造物１２と、マッサージシート本体１のシート部分１１に施された通気性の穴１３から形成されている。
又、マッサージシート付属用シート２は材質がポリエステルで、中央部の表面がメッシュ状に加工されていて袋状に形成されている。さらに、マッサージシートが皮膚に接触している間、マッサージシート付属用シート２に挿入されているマッサージシート本体１がマッサージシート付属用シート２とずれ、位置関係が変化しないよう、マッサージシート本体１のシート部分１１上に形成された構造物１２の反対側の側面に対向したマッサージシート付属用シート２の厚みを部分的に大きくしたマッサージシート本体ずれ止め部２２が設けられている。【００２１】  さらに、マッサージシート本体１のシート１１部分の上面の構造物１２の先端部は、マッサージシート付属用シート２のメッシュ部２１を通って外に出ていて、皮膚が接触したとき、皮膚に適度な刺激を与え、毛細血管内の血流を良くし、治療に効果を発揮する。【００２２】  マッサージシートを装着したとき、図３に示すようにマッサージシート本体１の構造物１２は変形し、その結果皮膚を適度に刺激すると同時に皮膚に存在する所謂ツボや毛細血管を刺激し、十分なるマッサージ効果を得ることができる。
【図面の簡単な説明】
【００２３】
【図１】図１は本発明に係わるマッサージシートの斜形図である。
【図２】図２はマッサージシートの隅部で、マッサージシート本体１上に形成された構造物１１の中心を通って、マッサージシートに垂直に切断した断面図である。
【図３】図３はマッサージシートを使用したとき、皮膚とマッサージシートの状態を示した断面図である。
【符号の説明】
【００２４】１  ：マッサージシート本体
１１：マッサージシート本体のシート部分
１２：マッサージシート本体のシート部分の上に形成された構造物
１３：マッサージシート本体のシート部分に設けられた通気用穴
２  ：マッサージシート付属用シート
２１：マッサージシート付属用シート２のメッシュ部
２２：マッサージシート本体ずれ止め部
３  ：皮膚
【図１】
0003161518.tif 000003
【図２】
0003161518.tif 000004
【図３】
0003161518.tif 000005
【手続補正書】
【提出日】平成22年5月10日(2010.5.10)
【手続補正１】
【補正対象書類名】実用新案登録請求の範囲
【補正対象項目名】請求項１
【補正方法】変更
【補正の内容】
【請求項１】
プラスチックフィルムもしくはシートから成るシート部分の片面に高さ０．１ｍｍから１．０ｍｍ、太さ１５ミクロンから１５０ミクロンでプラスチックフィルムもしくはシートと同一の材料からできた構造物を複数配列したフィルムもしくはシート（以下「マッサージシート本体」と呼ぶ）を表面がメッシュ状で、袋状に加工されたフィルムもしくはシートまたは織物状態の袋（以下「マッサージシート付属用シート」と呼ぶ）の中に納めたことを特徴とするマッサージシート。
【手続補正２】
【補正対象書類名】実用新案登録請求の範囲
【補正対象項目名】請求項２
【補正方法】変更
【補正の内容】
【請求項２】
前記マッサージシート付属用シートの材料を導電性にしたことを特徴とする請求項１に記載のマッサージシート。
【手続補正３】
【補正対象書類名】実用新案登録請求の範囲
【補正対象項目名】請求項３
【補正方法】変更
【補正の内容】
【請求項３】
前記マッサージシート本体のシート部分に通気性の穴加工したことを特徴とする請求項１に記載のマッサージシート。